(57)【特許請求の範囲】
【請求項１】
音声信号のパラメータを設定する操作子と、表示器とを有する音声信号編集装置を制御する制御方法であって、
前記操作子に対応付けて、連動情報を記憶装置に記憶させる過程と、
前記操作子の操作を検出する過程と、
前記連動情報が所定値であることを条件として、前記表示器における表示画面を前記操作子に関連する画面に切り換える過程と、
前記連動情報が前記所定値以外の値であることを条件として、前記表示器における表示画面を前記操作子が操作される前の画面に保持する過程と
を有することを特徴とする音声信号編集装置の制御方法。
【請求項２】
前記音声信号編集装置は複数グループの操作子を有し、前記記憶装置はこれらグループ毎に異なる連動情報を記憶するものであり、
前記表示器上において前記連動情報を表示する過程と、
必要に応じてこれら連動情報を編集する過程と
をさらに有することを特徴とする請求項１記載の音声信号編集装置の制御方法。
【請求項３】
前記音声信号編集装置は、前記各グループ毎に少なくとも一つの表示指令操作子を有するものであり、
何れかの前記表示指令操作子の操作が検出されたことを条件として、前記連動情報の内容にかかわらず、該表示指令操作子に対応する画面を前記表示器に表示する過程
をさらに有することを特徴とする請求項２記載の音声信号編集装置の制御方法。
【請求項４】
請求項１ないし３の何れかに記載の音声信号編集装置の制御方法を実行することを特徴とする音声信号編集装置。
【請求項５】
請求項１ないし３の何れかに記載の音声信号編集装置の制御方法を実行することを特徴とするプログラム。
【発明の詳細な説明】
【０００１】
【発明の属する技術分野】
本発明は、ミキシングコンソール等に用いて好適な音声信号編集装置の制御方法、音声信号編集装置およびプログラムに関する。
【０００２】
【従来の技術】
近年、ミキシングコンソールはデジタル化によって多機能化されており、様々な設定を操作者（オペレータ）が行うことが可能になっている。これら複数の機能を実現するための操作子やディスプレイを全てミキシングコンソール上に配置すると、コンソールの面積が膨大になるため非現実的である。そこで、多目的のディスプレイをコンソール上に儲け、このディスプレイの機能を切り換えることによって多種多様な設定内容を表示することが一般的である。
【０００３】
【発明が解決しようとする課題】
しかし、従来のミキシングコンソールにおいては、ディスプレイに表示すべき情報の内容をオペレータがスイッチ等で設定する必要があり、操作がきわめて煩雑であった。
この発明は上述した事情に鑑みてなされたものであり、オペレータの使用態様に応じてディスプレイの表示内容を自動的に設定できる音声信号編集装置の制御方法、音声信号編集装置およびプログラムを提供することを目的としている。
【０００４】
【課題を解決するための手段】
上記課題を解決するため本発明にあっては、下記構成を具備することを特徴とする。なお、括弧内は例示である。
請求項１記載の音声信号編集装置の制御方法にあっては、音声信号のパラメータを設定する操作子と、表示器（２０２）とを有する音声信号編集装置を制御する制御方法であって、前記操作子に対応付けて、連動情報（連動フラグ）を記憶装置（ＲＡＭ２１８）に記憶させる過程と、前記操作子の操作を検出する過程（図１５(b)のルーチンの起動）と、前記連動情報が所定値（“１”）であることを条件として、前記表示器における表示画面を前記操作子に関連する画面に切り換える過程（ステップＳＰ１６）と、前記連動情報が前記所定値以外の値であることを条件として、前記表示器における表示画面を前記操作子が操作される前の画面に保持する過程（ステップＳＰ１２→ＳＰ１８）とを有することを特徴とする。
さらに、請求項２記載の構成にあっては、請求項１記載の音声信号編集装置の制御方法において、前記音声信号編集装置は複数グループの操作子を有し、前記記憶装置（ＲＡＭ２１８）はこれらグループ毎に異なる連動情報を記憶するものであり、前記表示器上において前記連動情報を表示する過程（図９）と、必要に応じてこれら連動情報を編集する過程（図９）とをさらに有することを特徴とする。
さらに、請求項３記載の構成にあっては、請求項２記載の音声信号編集装置の制御方法において、前記音声信号編集装置は、前記各グループ毎に少なくとも一つの表示指令操作子（ディスプレイ・キー３０２，３５２，４５２）を有するものであり、何れかの前記表示指令操作子の操作が検出されたことを条件として、前記連動情報の内容にかかわらず、該表示指令操作子に対応する画面を前記表示器に表示する過程をさらに有することを特徴とする。
また、請求項４記載の音声信号編集装置にあっては、請求項１ないし３の何れかに記載の音声信号編集装置の制御方法を実行することを特徴とする。
また、請求項５記載のプログラムにあっては、請求項１ないし３の何れかに記載の音声信号編集装置の制御方法を実行することを特徴とする。
【０００５】
【発明の実施の形態】
1．実施形態の構成
1．1．全体構成
次に、本発明の一実施形態のミキシングコンソールの全体構成を図１を参照し説明する。図において２０２は表示器であり、バス２２０を介して供給された表示情報に基づいて、オペレータに対して各種情報を表示する。２０４は電動フェーダであり、オペレータによって操作されると、その操作位置をバス２２０を介して出力するとともに、バス２２０を介して供給されたセッティング情報に応じて駆動され、フェーダ位置が自動設定される。２０６は操作子であり、フィルタ特性等の音色パラメータ、モニタ箇所、表示器２０２の表示内容等を設定する。
【０００６】
２０８は波形Ｉ／Ｏ部であり、アナログ音声信号またはデジタル音声信号の入出力を行う。本実施形態においては、各種音声信号のミキシング処理・効果処理等は全てデジタル処理により実行される。しかし、外部から入力される音声信号および外部に出力すべき音声信号はアナログ信号であることが多い。このため、波形Ｉ／Ｏ部２０８には、必要に応じてマイクレベルアナログ入力、ラインレベルアナログ入力、デジタル入力、アナログ出力、デジタル出力等、各種機能を有するカードが挿入され、これらカードによって必要な変換処理が実行される。
【０００７】
２１０は信号処理部であり、一群のＤＳＰ（デジタル・シグナル・プロセッサ）によって構成されている。信号処理部２１０は、波形Ｉ／Ｏ部２０８を介して供給されたデジタル音声信号に対してミキシング処理や効果処理を施し、その結果を波形Ｉ／Ｏ部２０８に出力する。２１２はその他Ｉ／Ｏ部であり、その他各種の装置との間で情報を入出力する。２１４はＣＰＵであり、後述する制御プログラムに基づいて、バス２２０を介して各部を制御する。２１６はフラッシュメモリであり、上記制御プログラムおよびミキシングコンソールのセッティング情報を記憶する。２１８はＲＡＭであり、ＣＰＵ２１４のワークメモリとして使用される。
【０００８】
1．2．信号処理部２１０等におけるアルゴリズムの構成
次に、信号処理部２１０等において実現されるアルゴリズムの内容を図２を参照し説明する。図において１０２〜１０６および１４２〜１４４は、波形Ｉ／Ｏ部２０８におけるアナログ入力部、デジタル入力部、アナログ出力部、デジタル出力部であり、備え付けのハードウエア及び増設カードで構成される。まず、１０２はアナログ入力部（２４ｃｈ，カードによる増設可）であり、アナログ音声信号を受信すると、これをデジタル音声信号に変換し、信号処理部２１０に供給する。また、１０４はステレオアナログ入力部（ステレオＬ／Ｒ×２ｃｈ）であり、ステレオのアナログ音声信号を受信すると、これをデジタル音声信号に変換し信号処理部２１０に供給する。また、１０６はデジタル入力部（ステレオＬ／Ｒ×３ｃｈ，カードによる増設可）であり、ステレオのデジタル音声信号を受信すると、これを信号処理部２１０内部のフォーマットに変換する。
【０００９】
１４２はアナログ出力部（８ｃｈ，カードによる増設可）であり、信号処理部２１０から供給されたデジタル音声信号をアナログ音声信号に変換し外部に出力する。１４３はステレオアナログ出力部（Ｌ／Ｒ×１ｃｈ）であり、信号処理部２１０から供給された２系統のデジタル音声信号を２系統の（ステレオの）アナログ音声信号に変換し出力する。１４４はデジタル出力部であり、信号処理部２１０から供給された内部フォーマットのデジタル音声信号を所定フォーマット（ＡＥＳ／ＥＢＵ，ＡＤＡＴ，ＴＡＳＣＡＭ等（何れも商標））のデジタル音声信号に変換し出力する。
【００１０】
以上述べた構成は、信号処理部２１０とは別体のハードウエアである波形Ｉ／Ｏ部２０８および各種入出力部により実現されているが、上記以外の構成は信号処理部２１０において動作するプログラムによって実現されている。当該ミキシングコンソールは、内部に８ブロックのエフェクタを備えており、１０８はその入力部、１４６はその出力部を示す。当該エフェクタにおいては、最大１６チャンネルの入力に対して最大８ブロックのエフェクト処理が施され、最大１６チャンネルの音声信号が出力される。ここで、各エフェクトブロックの入出力数は、そのブロックで実行されるエフェクト処理の内容に応じて変化する。また、当該ミキシングコンソールは、エフェクタを増設するための８つのプラグイン・スロットを備えている。
【００１１】
次に、１１４は入力チャンネル部であり、操作子２０６における操作に基づいて、入力される音声信号（最大９６チャンネル）に対して、各チャンネル毎に、リミッタ、ゲート、コンプレッサ、イコライザ等の信号処理、フェーダに基づく音量制御、パンに基づく定位制御等の入力チャンネル処理を行い、ルーティングで指定された出力先に出力する。ここで、ルーティングにおいては、後述するＭＩＸバス、ステレオバス、ＡＵＸバスのうち任意の一ないし複数バスを出力先として指定可能である。１１２は入力パッチ部であり、入力部１０２，１０４，１０６から供給されたデジタル音声信号を各入力チャンネル部１１４の任意のチャンネルに割り当てる。ここで、上述したように、入力パッチ部１１２には内蔵エフェクタ出力部１０８からの音声信号も入力されており、該音声信号を入力チャンネル部１１４に入力することもできる。
【００１２】
１１８は８系統のＭＩＸバスであり、入力チャンネル部１１４から入力されるデジタル音声信号を各バス毎にミキシングする。ここで、各ＭＩＸバスには、入力チャンネル部１１４の全９６チャンネルのうち、ルーティングによって当該ＭＩＸバスを出力先としている入力チャンネルの音声信号が入力される。１３０はＭＩＸ出力チャンネル・ＡＵＸ出力チャンネル部である。ＭＩＸ出力チャンネル部には、８系統のＭＩＸバスに対応した８個の出力チャンネルが、また、ＡＵＸ出力チャンネルには１２系統のＡＵＸバスに対応した１２個のＡＵＸ出力チャンネルが設けられている。各出力チャンネルにおいては、入力される音声信号に対して、リミッタ、コンプレッサ、イコライザ等の信号処理、フェーダに基づく音量制御等の出力チャンネル処理が行われ、処理された音声信号が出力される。８個のＭＩＸ出力チャンネルおよび１２個のＡＵＸ出力チャンネルには、それぞれ対応するミキシング結果ＭＩＸ１〜ＭＩＸ８およびミキシング結果ＡＵＸ１〜ＡＵＸ１２が入力される。それぞれに入力された音声信号は、出力チャンネル処理が施された後、出力パッチ部１３４とマトリクス出力チャンネル部１３２とに出力される。また、ＭＩＸ出力チャンネル部から出力される音声信号は、ステレオバス１２０に供給することもできる。
【００１３】
１２０は「Ｌ」および「Ｒ」を一組とするステレオバスであり、入力チャンネル部１１４から入力されるデジタル音声信号およびＭＩＸ出力チャンネルから入力されるデジタル音声信号をミキシングする。この「Ｌ」および「Ｒ」のミキシング結果は、「Ｌ」および「Ｒ」の２チャンネルを有するステレオ出力チャンネル部１２８に供給される。そして、該ステレオ出力チャンネル部１２８において出力チャンネル処理が施された「Ｌ」および「Ｒ」の音声信号は、出力パッチ部１３４とマトリクス出力チャンネル部１３２とに出力される。ステレオ出力チャンネル部１２８から出力される音声信号は、主として客席全体に対して放音する音声信号として用いられる。また、各入力チャンネルにおいては、電動フェーダ２０４によって音量調節された音声信号に対して、さらに出力先の１２系統のＡＵＸバスに対応する音量調節が可能である。各ＡＵＸバスは、入力チャンネル部１１４から入力される該音量調節された音声信号をミキシングし、そのミキシング結果を対応するＡＵＸ出力チャンネルに出力する。
【００１４】
ＭＩＸ出力チャンネル・ＡＵＸ出力チャンネル部１３０のＡＵＸ出力チャンネルからの出力は、舞台上の出演者に対するエコーバック、録音、その他様々な用途に使用される。１２２はＳＯＬＯバスであり、主としてモニタ用として用いられる。各入力チャンネルにおいては、ＳＯＬＯバス１２２にデジタル音声信号を供給するか否か、また供給する場合にはポストフェードにするかプリフェードにするかを切り換えるスイッチが設けられている。これらスイッチの操作状態に従って、各入力チャンネルのデジタル音声信号がＳＯＬＯバス１２２を介してミキシングされる。
【００１５】
次に、１３２はマトリクス出力チャンネル部であり、ステレオ出力チャンネル部１２８およびＭＩＸ出力チャンネル・ＡＵＸ出力チャンネル部１３０からの出力をさらにミキシングし、ミキシング結果に対して出力チャンネル処理を施して出力する。そして、マトリクス出力チャンネル部１３２でミキシングされ出力チャンネル処理された音声信号は、出力パッチ部１３４に供給される。
【００１６】
出力パッチ部１３４は、ステレオ出力チャンネル部１２８、ＭＩＸ出力チャンネル部１３０またはマトリクス出力チャンネル部１３２から出力されたデジタル音声信号を各出力部１４２，１４２，１４４の任意の箇所に割り当てる。また、同デジタル音声信号のうち内蔵エフェクタに入力すべき音声信号は、内蔵エフェクタの入力部１４６の任意の入力に割り当てられる。
【００１７】
１５０はモニタ用セレクタであり、上記各部の音声信号のうち一または複数を選択する。１５２はモニタ用ミキサであり、これら選択された音声信号をミキシングする。１５４はモニタ用音声出力部であり、ミキシングされたデジタル音声信号をアナログ音声信号に変換し出力する。
【００１８】
1．3．操作パネルの構成
1．3．1．全体構成
次に、ミキシングコンソールの操作パネルの全体構成を図３を参照し説明する。
図において１はフェーダモード・セクションであり、電動フェーダ２０４の機能等を設定する。２はディスプレイ制御セクションであり、上述した表示器２０２およびその動作状態を制御する各種操作子によって構成されている。３は選択チャンネル・セクションであり、チャンネル選択キー（ＳＥＬキー）によって選択された任意の１チャンネルについて、詳細なパラメータを設定するために、各種操作子および表示器が設けられている。また、選択チャンネル・セクション３においては、オブジェクトをクリックしたり、４チャンネルあるいは５.１チャンネル等の多チャンネルミキシングを行う時の定位を制御するジョイスティックが設けられている。
【００１９】
４はモニタ・セクションであり、各部のデジタル音声信号等をモニタリングするための操作子等が設けられている。５はユーザ定義キー・シーンメモリ・オートミックス・セクションである。本実施形態のミキシングコンソールにおいては、一部のキーの機能をオペレータが定義することができる。また、複数のシーン毎にミキシングコンソールの各部の設定を予めプリセットしておき、プリセットした設定を後にワンタッチで再現することができる。また、業務用ビデオテープレコーダあるいはＭＩＤＩシーケンサ等が出力するタイムコードに同期して、各部のフェーダ量を自動的に設定することができる。セクション５は、これらの機能を制御するために設けられている。
【００２０】
次に、６はチャンネル・ストリップ・セクションであり、入力チャンネルないし出力チャンネルの各チャンネル毎の制御を行うための上述した電動フェーダ２０４、当該チャンネルを選択するためのチャンネル選択キー、およびその他のパラメータ設定用の操作子が設けられている。なお、本実施形態においては、入力チャンネル数は「９６」設けられているが、ミキシングコンソールの大型化を避けるためセクション６内の電動フェーダ２０４の数は「２４個」である。このため、入力チャンネルは「２４」×４レイヤに分割されており、指定された一つのレイヤ（但し、ステレオのペアに設定されているチャンネルについては２レイヤ）に対して、セクション６による制御が行われることになる。
【００２１】
７はマスタ・セクションであり、ステレオ出力チャンネル部１２８の出力レベルを調節する出力フェーダ、および上記チャンネル・ストリップ・セクション６のレイヤを割り当てる操作子等が設けられている。８はマシン制御・セクションであり、その他各種の制御を行う操作子が設けられている。９はデータ入力・セクションであり、各種データ入力を行う操作子が設けられている。１０はスマートメディア・セクションであり、外部とのデータのやりとりのため、メモリカード用のソケットが設けられている。
【００２２】
１１はアナログセクションであり、アナログ入力部１０２，１０４における各種セッティング（ゲイン調整やファンタム電源のオンオフ等）を行う操作子が設けられている。１２はレベル表示器・セクションであり、各部の音声信号のレベルを表示するレベルメータ等が設けられている。１３はタイムコード表示器・セクションであり、ビデオテープレコーダのタイムコード等を表示する。
以下、操作パネルのうち要部の構成を説明する。
【００２３】
1．3．2．ディスプレイ・アクセス部４００
上記ディスプレイ制御セクション２には、図４に示すディスプレイ・アクセス部４００が設けられている。図４において４０１はDATAキーであり、押下されると表示器２０２にデータ入出力画面を表示させる。この画面においては、スマートメディア・セクション１０にセットされるメモリカードのセーブ、ロード等の設定を行うことができる。４０２はDIOキーであり、押下されると表示器２０２にデータ入出力画面を表示させる。この画面においては、例えばタイムコードのマスターを本実施形態のミキシングコンソールにするか、あるいは外部のビデオテープレコーダ等にするか等を選択することができる。
【００２４】
４０３はSETUPキーであり、表示器２０２にセットアップ画面を表示させる。この画面においては、ミキシングコンソールの動作をカスタマイズすることが可能である。このように、ディスプレイ・アクセス部４００に設けられた各キーは、表示器２０２に表示すべき内容を明示的に指定するためのものである。本実施形態において、キー４０１，４０２，４０３等、画面を表示させることを主な機能とするキーを「ディスプレイ・キー」ないし「画面切換キー」と呼ぶ。当該ミキシングコンソールでは、ディスプレイ・キーについては正方形キーを４５度傾けて配置することにより、ディスプレイ・キーを他のキー（正方形キーを傾けずに配置）と視覚的に判別できるようになっている。ディスプレイ・キーはミキシングコンソールにおけるミキシング状態を変化させないので、操作者は、それがディスプレイ・キーであることを確認したら、ミキシングに対する影響を気にせずに安心して操作することができる。そして、ディスプレイ制御セクション２は、パネル上に対応する専用の操作子が無いディスプレイ・キーを集めたセクションである。
【００２５】
1．3．3．エフェクト・プラグイン部４５０
また、ディスプレイ制御セクション２には、図５に示すエフェクト・プラグイン部４５０も設けられている。このエフェクト・プラグイン部４５０は、前述した８ブロックのエフェクタおよびプラグインで増設されたエフェクタを調整するための操作子から構成されている。その構成を図５を参照し説明する。図５において４５２はディスプレイ・キーであり、上記表示器２０２の表示画面として該エフェクト・プラグイン部４５０に関連する画面を選択するように指令するキーである。
【００２６】
４５４はINTERNAL_EFFECTSキー、４５６はPLUG_INSキー、４５８はCHANNEL_INSERTキーであり、パラメータを設定しようとするエフェクト等の種類を指定する。４６０は番号指定キー群であり、「１」〜「８」に対応する８個のキーから構成されており、指定された種類におけるエフェクト等の番号を指定するものである。例えば、内蔵エフェクタ（INTERNAL_EFFECTS）１０８の８ブロックのうち第５番のブロックを設定するのであれば、INTERNAL_EFFECTSキー４５４を押下し、しかる後に番号指定キー群４６０の５番を押下するとよい。
【００２７】
４６６，４６８，４７０，４７２はボリューム操作子であり、選択されたエフェクトの特性等を設定するためのものである。但し、エフェクトにおいて設定されるパラメータの量は「４」よりも多いため、エフェクト・プラグイン部４５０にはアップキー４６２およびダウンキー４６４が設けられている。上述したようにオペレータがディスプレイ・キー４５２を押下すると、表示器２０２には該エフェクト・プラグイン部４５０に関連する画面が表示される。
【００２８】
この画面においては、選択されたエフェクトのパラメータが４種類を一組として表示され、オペレータは調整しようとするパラメータが属する組をアップキー４６２およびダウンキー４６４によって選択することができる。ボリューム操作子４６６〜４７２はロータリーエンコーダによって構成されており、制限なく回動することができる。これらの操作子およびその周囲には目盛が刻まれておらず、ボリューム操作子４６６〜４７２を目視しただけでは設定値を知ることはできない。このため、選択された組に対する設定値も表示器２０２に表示されるようになっている。
【００２９】
1．3．4．ダイナミックス部３００
また、選択チャンネル・セクション３には、図６に示すダイナミックス部３００が設けられている。このダイナミックス部３００は、入力チャンネルないし出力チャンネルのうちＳＥＬキーによって選択された１つのチャンネルのダイナミックレンジを調節するための操作子等から構成されている。図において３０２はディスプレイ・キーであり、上記表示器２０２の表示画面として、該ダイナミックス部３００に関連する画面（図１２，図１３）を選択するように指令するキーである。
【００３０】
本実施形態のミキシングコンソールでは、ダイナミックレンジ調整のためにコンプレッサ（COMP）およびゲート（GATE）が設けられている。３０４はCOMP_ONキーであり、押下される毎にコンプレッサ（COMP）のオンオフをトグルで切り換える。同様に、３０６はGATE_ONキーであり、押下される毎にゲート（GATE）のオンオフをトグルで切り換える。
【００３１】
コンプレッサ（COMP）およびゲート（GATE）の状態は、それぞれ５つのパラメータによって調節される。３１４〜３２２はボリューム操作子であり、これら５つのパラメータを調節するために設けられている。ボリューム操作子３１４〜３２２は、上記エフェクト・プラグイン部４５０のボリューム操作子４６６〜４７２と同様にロータリーエンコーダによって構成されており、各操作子による設定内容は表示器２０２において確認することができる。３０８はCOMP/GATE切換キーであり、コンプレッサ（COMP）およびゲート（GATE）のうち上記ボリューム操作子３１４〜３２２によって調節しようとする対象を選択する。３１０はCOMPランプ、３１２はGATEランプであり、COMP/GATE切換キー３０８によって選択された一方のみが点灯する。ここで、ゲート（GATE）は入力チャンネルのみにあり、出力チャンネルには備えられていない。従って、ＳＥＬキーで出力チャンネルが選択されている場合には、COMP/GATEのうちコンプレッサ（COMP）が常時選択される。なお、先述した図１２と図１３のうち、図１２がコンプレッサに関連したコンプレッサ調節画面であり、図１３がゲートに関連したゲート調節画面である。
なお、先述した
【００３２】
1．3．5．イコライザ部３５０
また、選択チャンネル・セクション３には、図７に示すイコライザ部３５０が設けられている。このイコライザ部３５０は、指定された入力チャンネルの周波数特性を調節するための操作子等から構成されている。図において３５２はディスプレイ・キーであり、上記表示器２０２の表示画面として、該イコライザ部３５０に関連する画面（図１４）を選択するように指令するキーである。
【００３３】
３５４はストアキーであり、押下されると現在の設定状態がフラッシュメモリ２１６に格納される。また、３５６はリコールキーであり、押下されると、フラッシュメモリ２１６に格納された情報に基づいて、イコライザ部３５０内の各部の状態が設定される。３５７はイコライザオンキーであり、イコライザ処理のオンオフをトグルで切り換える。３５８はボリューム操作子であり、ロータリーエンコーダによって構成され、当該チャンネルのイコライザの入力部における音声信号の減衰量を調整する。
【００３４】
３６０は低音域用周波数・Ｑボリューム操作子であり、ロータリーエンコーダによって構成されている。ボリューム操作子３６０は、押し込むことによってＱ値の調節が可能になり、引き出すことによって周波数（特性を変化させる中心周波数）の調整が可能になる。３６２は周波数ランプ、３６４はＱ値ランプであり、何れか一方が選択的に点灯することにより、ボリューム操作子３６０が周波数・Ｑ値のうち何れの調整に用いられているかを表示する。
【００３５】
３６８は低音域ゲイン用ボリューム操作子であり、低音域のゲインを調節する。３６６は低音域表示器であり、低音域用周波数・Ｑボリューム操作子３６０および低音域ゲイン用ボリューム操作子３６８の調整結果を表示する。すなわち、低音域表示器３６６は通常状態では低音域周波数を表示するが、Ｑ値あるいはゲインが調節されると、２秒間は該Ｑ値あるいはゲインを表示する。また、以上述べた構成要素３６０〜３６８と同様に、中低音域用の構成要素３７０〜３７８、中高音域用の構成要素３８０〜３８８、および高音域用の構成要素３９０〜３９８が設けられている。
【００３６】
1．3．6．レイヤ部５００
マスタ・セクション７には、図８に示すレイヤ部５００が設けられている。レイヤ部５００内において５０２は第１レイヤ指定キーであり、チャンネル・ストリップ・セクション６における調整対象として第１レイヤ（第１〜第２４入力チャンネル）を指定するために設けられている。同様に、５０４は第２レイヤ指定キー、５０６は第３レイヤ指定キー、５０８は第４レイヤ指定キーであり、それぞれ調整対象として第２レイヤ（第２５〜第４８入力チャンネル）、第３レイヤ（第４９〜第７２入力チャンネル）、第４レイヤ（第７３〜第９６入力チャンネル）を指定するものである。
【００３７】
５１０はマスタレイヤ指定キーであり、セクション６の調整対象としてマスタレイヤを指定するものである。ここで、マスタレイヤとは、ＭＩＸ出力チャンネル（８チャンネル）、ＡＵＸ出力チャンネル（１２チャンネル）およびマトリクス出力チャンネル（４チャンネル）を総称したものである。これらレイヤ指定キー５０２〜５１０は択一的にオン状態に設定され、オン状態に設定されたキーは点灯状態になる。
【００３８】
５１２〜５１８は遠隔操作指定キーであり、ここで第１〜第４レイヤの何れかを指定することにより、チャンネル・ストリップ・セクション６で該第１〜４レイヤに予めアサインしてある外部機器を遠隔操作することができる。これにより、チャンネル・ストリップ・セクション６と同様の機能を有する外付けのコンソールを本実施形態のミキシングコンソールに接続し、複数レイヤのフェーダ操作を同時に行うことも可能である。なお、遠隔操作指定が行われた場合、当該指定キー５１２〜５１８は点灯状態になる。
【００３９】
ところで、レイヤ部５００においては、例えばダイナミックス部３００に設けられていたディスプレイ・キー３０２に対応するものは設けられていない。これは、レイヤ部５００に関係する操作・表示内容は全てレイヤ部５００に設けられたキーによって達成されるため、表示器２０２の状態を更新する必要が無いためである。
【００４０】
1．3．7．レベル表示器・セクション１２
次に、レベル表示器・セクション１２の一部の構成を図１１を参照し説明する。図において７２０〜７３９は２０個のレベルインジケータである。レベル表示器・セクション１２には実際には４８個のレベルインジケータが設けられており、図示せぬ２８個のレベルインジケータも同様に配列される。これらレベルインジケータは２個づつが一組になっており、一組を成す２個のレベルインジケータは相互に近接して設けられている。７０２〜７１０はレイヤランプであり、レベルインジケータ７２０〜７３９が何れのレイヤのレベルを表示しているのかを点灯表示する。
【００４１】
まず、７０２〜７０８は第１〜第４レイヤランプ、７１０はマスタレイヤランプであり、対応するレイヤにおける各チャンネルのレベルがレベルインジケータ７２０〜７３９に表示される際に点灯される。各レイヤにおけるチャンネル数は「２４」であり、レベルインジケータは「４８個」設けられているが、上記レイヤランプ７０２〜７１０に対しては、原則としてレベルインジケータ７２０〜７３９の各組のうち左側のレベルインジケータのみが使用され、右側のレベルインジケータは使用されない。
【００４２】
図示の例においては、第１レイヤランプ７０２が点灯し、レベルインジケータ７２０〜７３９は第１レイヤのレベルを表示する。すなわちレベルインジケータ７２０には第１レイヤの１番目の入力チャンネル（第１入力チャンネル）のレベルが、また、レベルインジケータ７２２には第２入力チャンネルのレベルがそれぞれ表示されることになる。また、レイヤランプ７１２は、レベルインジケータに第１レイヤおよび第２レイヤのレベルが表示される旨を表示する。この場合、レベルインジケータにおける表示順序は左からチャンネル番号順になる。また、レイヤランプ７１４は、レイヤランプ７１２と同様に、第３レイヤおよび第４レイヤのレベルが表示される旨を表示する。
【００４３】
但し、レイヤランプ７０２〜７１０のうち何れか一つが選択されている場合においても、表示中のレイヤの複数チャンネルのうち「垂直（VERTICAL）モード」のペア（詳細は後述する）が設定されているチャンネルについては、一組を成す２本のレベルインジケータに２レイヤのレベルが表示される。その際、レイヤ番号が奇数である側のチャンネルは「Ｌ」チャンネルであり左側のレベルインジケータに割り当てられる。また、レイヤ番号が偶数である側のチャンネルは「Ｒ」チャンネルであり右側のレベルインジケータに割り当てられる。以上のような表示態様によれば、レベル表示器・セクション１２を一見しただけで何れのチャンネルに「垂直モード」のペアが設定されているのか直ちに判別することができ、当該ペアの「Ｌ」および「Ｒ」の音声信号のレベルを確認することができる。
【００４４】
2．実施形態の動作
2．1．画面切換動作
次に、本実施形態の動作を図１５を参照し説明する。
操作パネルに設けられたキーのうち、ディスプレイ・アクセス部４００内の各キーおよびディスプレイ・キー３０２，３５２，４５２を「画面切換キー」と呼ぶ。画面切換キーが押下されると、図１５(a)に示すルーチンが起動される。図において処理がステップＳＰ２に進むと、押下された画面切換キーに対応した画面が表示器２０２に表示されているか否かが判定される。ここで「ＹＥＳ」と判定されると、特になんら処理がされることなく本ルーチンが終了する。一方、「ＮＯ」と判定されると、処理はステップＳＰ４に進み、表示器２０２の画面が当該画面切換キーに対応した画面に切り換えられる。
【００４５】
また、操作パネル上の各操作子（キー、ボリューム操作子等）には、表示器２０２上の画面に対する対応付けがされているものがある。すなわち、ディスプレイ・キー３０２，３５２，４５２が設けられているダイナミックス部３００、イコライザ部３５０およびエフェクト・プラグイン部４５０の各操作子は、各々ディスプレイ・キー３０２，３５２，４５２が押下された時に表示される画面に対応付けられている。ここで、同一の画面に対応付けられる複数の操作子は「表示グループ」を構成することとする。一方、ディスプレイ・キーが設けられていない部分、例えばレイヤ部５００内の各キーは、画面とは対応付けられていないから、何れの表示グループにも属さないことになる。
【００４６】
そして、本実施形態においては、画面に対応付けられている操作子が操作された時、対応する画面を自動的に表示させるか否かを表示グループ毎に設定することが可能である。すなわち、ＲＡＭ２１８には各表示グループ毎に「連動フラグ」が記憶されており、操作子に連動して画面を切り換えるべき場合には連動フラグが“１”に設定され、画面を切り換えるべきでない場合には連動フラグが“０”に設定される。
【００４７】
ここで、各操作子が操作された場合に実行されるルーチンを図１５(b)に示す。図において処理がステップＳＰ１２に進むと、当該操作子が属する表示グループにおいて連動フラグが“１”にセットされているか否かが判定される。ここで「ＮＯ」と判定されると、処理はステップＳＰ１８に進み、当該操作子に対応した処理（パラメータの変更等）が実行される。なお、操作された操作子が何れの表示グループにも属さない場合は、ステップＳＰ１２において必ず「ＮＯ」と判定され、同様にステップＳＰ１８が実行されることになる。
【００４８】
一方、操作子の属する表示グループに対して連動フラグが“１”にセットされていれば、ステップＳＰ１２において「ＹＥＳ」と判定され、処理はステップＳＰ１４に進む。ここでは、表示器２０２に既に当該表示グループに対応する画面が表示されているか否かが判定される。ここで「ＹＥＳ」と判定された場合には、画面を切り換える必要が無いため、処理は上記ステップＳＰ１８に進む。一方、対応する画面が表示されていない場合には処理はステップＳＰ１６に進み、当該操作子が属する表示グループに対応した画面が表示器２０２に表示される。そして、処理がステップＳＰ１８に進むと、当該操作子に対応した処理が実行される。
ここで、図３に示される複数のセクションのうち、連動フラグを設定可能なセクションは、その一部のセクションのみである。例えば、選択チャンネル・セクションの各部は連動フラグをそれぞれ設定可能であるが、ディスプレイ制御セクション２、ユーザ定義キー・シーンメモリ・オートミックス・セクションでは設定不可能である。画面を連動させる必要性の低いセクションについて、連動フラグが設定不可能になっており、それらのセクションでは操作子操作に画面が連動しない。（すなわち、連動フラグが"０"と見なされる。）以下、操作子の種類に応じた動作の具体例を説明する。
【００４９】
2．2．プリフェランス画面６００における動作
ディスプレイ・アクセス部４００においてSETUPキー４０３が押下されると、表示器２０２に図９に示すプリフェランス画面６００が表示される。この画面においては、ミキシングコンソールにおける様々なオンオフの設定項目に対するチェックボックスが表示され、オペレータがジョイスティックでチェックボックスを選択しクリックすることにより、設定項目のオンオフ状態を反転させることができる。
【００５０】
これらのうち、名称が「AUTO」で始まり「Display」で終わるチェックボックス６０２〜６１６は、上述した連動フラグの値を設定するものであり、イコライザ（EQ）、パン（PAN）、サラウンド（SURROUND）等の表示グループ毎に設けられている。これらのチェックボックスにおいてチェックが付されていれば対応する連動フラグは“１”に設定され、チェックボックスが空欄であれば対応する連動フラグは“０”に設定される。
【００５１】
2．3．ゲート調節画面８００における動作
ＳＥＬキーによって第４８番目の入力チャンネルが選択されている状態で、次の(１)または(２)の何れかの条件が充足されると、図１５のステップＳＰ４またはＳＰ１６において、図１２に示すゲート調節画面８００が表示器２０２に表示される。
(１)COMP/GATE切換キー３０８によってゲート（GATE）が選択されている時にディスプレイ・キー３０２が押下された場合
(２)COMP/GATE切換キー３０８によってゲート（GATE）が選択され、Auto EQ Display 連動フラグ（図９のチェックボックス６０２に対応）が“１”に設定され、かつ、ダイナミックス部３００内の何れかの操作子が操作された場合
なお、当該ミキシングコンソールにおいてゲート（GATE）を備えているのは、入力チャンネル部１１４の入力チャンネルのみである。従って、その他のＭＩＸ出力チャンネル、ＡＵＸ出力チャンネル、ステレオ出力チャンネル、マトリクス出力チャンネルが選択されているときは、COMP/GATE切換キーでゲート（GATE）を選択することはできず、ゲート調整画面が表示されることもない。
【００５２】
図において８０２はチャンネルナンバ表示部であり、ゲート（GATE）調整に係る入力チャンネルの番号（この場合は第４８入力チャンネル）が表示される。８０４はSELFボタン、８０６はCHANNELボタン、８０８はAUXボタンであり、これらのうち何れかが択一的に選択されることにより、ダイナミックスプロセスを起動するトリガが指定される。８１０はオンオフボタンであり、ゲート（GATE）の機能のオンオフを指定する。すなわち、ゲート（GATE）の機能のオンオフは、オンオフボタン８１０あるいは上述したGATE_ONキー３０６の何れによっても切り換えることが可能になっている。
【００５３】
８１２〜８１８はページ切換タグであり、ここにジョイスティックのカーソル位置を動かし、ジョイスティックをクリックすると、表示器２０２の表示内容は当該タグに応じた画面に切り替わる。特に、ページ切換タグ８１６をジョイスティックでクリックすると、後述する図１３の画面が表示される。換言すれば、ページ切換タグ８１２〜８１８によって４ページの画像のうち何れかを任意に選択することができ、COMP/GATE切換キー３０８によってそのうち特に使用頻度の高い２ページの画像（図１２，図１３）を選択することが可能になっている。
【００５４】
８２０はパラメータ表示・設定部であり、ボリューム操作子３１４〜３２２によって調節された各パラメータの値と、ボリューム操作子を模した画像とが表示される。オペレータがボリューム操作子３１４〜３２２を操作すると、その操作に基づくパラメータの増減がパラメータ表示・設定部８２０に直ちに反映される。さらに、各ボリューム操作子画像にカーソルを合わせると、データ入力・セクション９を介して当該パラメータの値を入力することもできる。すなわち、各パラメータの値はボリューム操作子３１４〜３２２によっても、画面上においても調節することが可能である。
【００５５】
８２１はタイプ表示部であり、ゲート（GATE）の種類を選択・表示することが可能である。なお、ゲート（GATE）の種類は、（狭義の）「GATE」および「DUCKING」のうち何れかより選択される。８２２は特性カーブ表示部であり、上記各パラメータに応じて得られる特性カーブがここに表示される。８２４はステレオリンクスイッチであり、上記パラメータを他のチャンネル（ステレオペアを成す相手側のチャンネル）のパラメータに対してリンクさせるか否かを設定する。
【００５６】
2．4．コンプレッサ調節画面８５０における動作
ＳＥＬキーによって第４８番の入力チャンネルが選択されている状態で、次の(１)または(２)の何れかの条件が充足されると、図１５のステップＳＰ４またはＳＰ１６において、図１３に示すコンプレッサ調節画面８５０が表示器２０２に表示される。
(１)COMP/GATE切換キー３０８によってコンプレッサ（COMP）が選択されている時にディスプレイ・キー３０２が押下された場合
(２)COMP/GATE切換キー３０８によってコンプレッサ（COMP）が選択され、Auto EQ Display 連動フラグ（図９のチェックボックス６０２に対応）が“１”に設定され、かつ、ダイナミックス部３００内の何れかの操作子が操作された場合
なお、コンプレッサに関しては、入力チャンネル以外のＭＩＸ出力チャンネル、ＡＵＸ出力チャンネル、ステレオ出力チャンネル、マトリクス出力チャンネルにも備えられているので、ＳＥＬキーによってそれらのチャンネルが選択されている場合には、そのチャンネルのコンプレッサ調整画面を表示することもできる。
【００５７】
コンプレッサ調節画面８５０においては、ゲート調節画面８００と同様のチャンネルナンバ表示部８０２、オンオフボタン８１０、ページ切換タグ８１２〜８１８、ステレオリンクスイッチ８２４が設けられている。８５２はパラメータ表示・設定部であり、ゲート調節画面８００のパラメータ表示・設定部８２０と同様に、ボリューム操作子３１４〜３２２によって調節された各パラメータの値と、ボリューム操作子を模した画像とが表示される。但し、パネル上のボリューム操作子３１４〜３２２は５個設けられているのに対して、パラメータ表示・設定部８５２には６個のボリューム操作子画像が表示されている。
【００５８】
換言すれば、パラメータ表示・設定部８５２の右上部分に表示されているパラメータ「ｋｎｅｅ」はパラメータ表示・設定部８５２においてのみ調節することが可能であり、ボリューム操作子３１４〜３２２によって調節できないことになる。これは、パラメータ「ｋｎｅｅ」の使用頻度が他のパラメータと比較して低いため、ボリューム操作子３１４〜３２２には割り当てなかったのである。
【００５９】
８５４はタイプ表示部であり、コンプレッサ（COMP）の種類を選択・表示することが可能である。なお、コンプレッサ（COMP）のタイプは、（狭義の）「COMP」、「EXPAND」、「COMPANDER」のうち何れかより選択される。８５６は特性カーブ表示部であり、ゲート調節画面８００の特性カーブ表示部８２２と同様に、上記各パラメータに応じて得られる特性カーブがここに表示される。
【００６０】
2．5．イコライザ調節画面９００における動作
ＳＥＬキーによって第４８番の入力チャンネルが選択されている状態で、次の(１)または(２)の何れかの条件が充足されると、図１５のステップＳＰ４またはＳＰ１６において、図１４に示すイコライザ調節画面９００が表示器２０２に表示される。
(１)イコライザ部３５０においてディスプレイ・キー３５２が押下された場合
(２)Auto EQ Display 連動フラグ（図９のチェックボックス６０２に対応）が“１”に設定され、かつ、イコライザ部３５０内の何れかの操作子が操作された場合
なお、イコライザも、入力チャンネルだけでなく各出力チャンネルにも備えられているので、それらのチャンネルのイコライザ調整画面を表示することも可能である。
【００６１】
イコライザ調節画面９００において、９０２はチャンネルナンバ表示部であり、イコライザ処理をしようとしているチャンネル（複数の入力チャンネル及び出力チャンネルからＳＥＬキーで選択されたチャンネル）の番号が表示される。９０４はイコライザオンオフボタンであり、イコライザのオンオフをトグルで切り換える。すなわち、イコライザオンオフボタン９０４はイコライザオンキー３５７と等価である。９０６はCLASSICボタン、９０８はVINTAGEボタンであり、これらのうち何れかが択一的に選択されることにより、イコライザ処理のタイプが設定される。９０９は減衰量表示・設定部であり、ボリューム操作子３５８によって設定された減衰量が表示される。
【００６２】
さらに、減衰量表示・設定部９１０に表示されたボリューム操作子画像にカーソルを合わせると、データ入力・セクション９を介して減衰量を入力することもできる。９１０は低音域表示・設定部であり、低音域に対するＱ値、周波数およびゲインの設定値と、３個のボリューム操作子とが表示される。これらボリューム操作子にカーソルを合わせると、ボリューム操作子３６０、３６８の代りに、データ入力・セクション９を介してＱ値、周波数またはゲインを直接入力することが可能である。９１２は中低音域表示・設定部、９１４は中高音域表示・設定部、９１６は高音域表示・設定部であり、低音域表示・設定部９１０と同様に、各音域のＱ値、周波数およびゲインを表示・設定する。９１８は特性カーブ表示部であり、各音域の表示・設定部９１０〜９１６における設定結果に基づいて、周波数特性のカーブを表示する。
【００６３】
2．6．ペア設定画面６５０の表示
ディスプレイ・アクセス部４００においてPAIRキー４０９が押下されると、図１０(a), (b)に示すペア設定画面６５０が表示器２０２に表示される。ここで、「ペア」とは、ステレオの音声信号を構成する場合に各種パラメータが連動する２つのチャンネルの意味である。本実施形態においては、ペアを構成する態様（ペアリングモード）として「水平(HOLIZONTAL)モード」および「垂直（VERTICAL）モード」の何れかを選択することができる。ここで、水平モードとは、チャンネル番号順にペアを構成するモードである。
【００６４】
水平モードにおいては、例えば図１０(a)に示すように、第１入力チャンネルと第２入力チャンネルがペアを構成し、第３入力チャンネルと第４入力チャンネルとがペアを構成する。また、垂直モードとは、２つのレイヤにおいて、対応するチャンネル同志がペアを構成するモードである。垂直モードにおいては、例えば図１０(b)に示すように、第１レイヤの１番目のチャンネルである第１入力チャンネルと、第２レイヤの１番目のチャンネルである第２５入力チャンネルとがペアを構成し、第１レイヤの２番目のチャンネルである第２入力チャンネルと、第２レイヤの２番目のチャンネルである第２６入力チャンネルとがペアを構成する。なお、第３レイヤと第４レイヤについても、第１レイヤと第２レイヤと同様に垂直モードのペアを構成することができる。
【００６５】
これらの図において６５２は水平モードスイッチ、６５４は垂直モードスイッチであり、何れか一方が選択的にオン状態になることによって何れかのペアリングモードを指定する。６６０，６７０は左チャンネル表示部、６６１，６７１は右チャンネル表示部であり、これらはペアに設定された２つのチャンネル番号を表示する。６６２，６７２はＭＳ（MONORAL/STEREO）モード表示部であり、ペア設定された２つのチャンネルのＭＳモードを表示する。すなわち、ＭＳモード表示部６６２のように通常のハートマークが表示されている場合はＭＳモードは「STEREO」であり、ＭＳモード表示部６７２のように割れたハートマークが表示されている場合はＭＳモードは「MONORAL」である。
【００６６】
６６４，６７４はＭＳモード切換スイッチであり、ＭＳモードを「STEREO」に設定するか「MONORAL」に設定するかをトグルで切り換える。６８２，６８４，６８６はレイヤ切換タグであり、ペアリングモードあるいはＭＳモードを設定するレイヤ毎に設けられている。なお、ペアリングモードは、第１，第２レイヤ間および第３，第４レイヤ間において独立に設定することが可能である。例えば、第１，第２レイヤ間において垂直モード、第３，第４レイヤ間において水平モードに設定することもできる。
【００６７】
ＭＳモードが「STEREO」に設定されると、ペアを構成する２つのチャンネルに対して、一部のパラメータが共有される。共有されるパラメータは、ゲート（GATE）の設定、インサーションエフェクトの設定、（ボリューム操作子３５８によって設定される）減衰量、イコライザの設定、コンプレッサ（COMP）の設定、チャンネルのオンオフ、フェーダ量、ＡＵＸ出力チャンネルをプリフェードにするかポストフェードにするか、ＡＵＸ出力チャンネルのオンオフ、ＡＵＸ出力チャンネルレベル等である。また、共有されないパラメータは、入力パッチ部１１２におけるパッチ状態、位相反転の有無、パンの状態、その他各種パッチ状態等である。なお、パンに関しては、ＭＳモードの設定とは別に、ペアとなるチャンネル間で同方向ないし逆方向の連動（GANGと呼ばれる）が設定可能である。
【００６８】
ペアリングモードを「垂直モード」に設定すると、１個のフェーダにステレオ１チャンネル（モノラル換算で２チャンネル）を割り当てることができる。このため、第１，第２レイヤのペアのＭＳモードを全て「STEREO」に設定すると、２４個のフェーダによってステレオ２４チャンネルの音量等を調節することができる。一方、ペアリングモードを「水平モード」に設定すると、隣接する２個のフェーダに対してステレオ１チャンネルが割り当てられる。このため、２４個のフェーダによって音量等を調節できるステレオチャンネル数は「１２」に限定される。なお、水平モードでＭＳモードが「STEREO」に設定されていると、ペアを構成する一方のフェーダを操作した時、これとフェーダ位置が同一になるように、他方のフェーダ位置も調節される。
【００６９】
2．7．フェーダ操作に対する動作
次に、チャンネル・ストリップ・セクション６においてフェーダが操作された場合の処理を図１５(c)を参照し説明する。図において処理がステップＳＰ２２に進むと、操作されたフェーダに対してＭＳモードおよびペアリングモードの状態が判定され、その結果に応じて処理が分岐される。まず、当該フェーダのＭＳモードが「MONORAL」に設定されていれば、そのレイヤのペアリングモードにかかわらず処理はステップＳＰ２４に進む。
【００７０】
ここでは、操作されたフェーダに対応した入出力チャンネルのレベルが制御される。すなわち、図８において説明したように、レイヤ部５００においてチャンネル・ストリップ・セクション６のレイヤは一意に指定されるから、どのフェーダが操作されたかが特定されると、音量調節すべき入出力チャンネルは一意に決定される。一方、当該フェーダのＭＳモードが「STEREO」に設定されていれば、ペアリングモードに応じて実行される処理は異なる。
【００７１】
まず、ペアリングモードが水平モードであれば、処理はステップＳＰ２６に進む。ここでは、操作されたフェーダに対応する入出力チャンネルと、ペアを構成するその隣接チャンネルのレベルとが調節される。その際、隣接チャンネルのフェーダ位置は、上述したように操作されたフェーダに連動するように駆動される。一方、ペアリングモードが垂直モードであれば、処理はステップＳＰ２８に進む。ここでは、操作されたフェーダに対応する入出力チャンネルと、ペアを構成するチャンネル（すなわち隣接レイヤにおいて対応するチャンネル）のレベルとが調節される。なお、ペアを構成するチャンネル間では、フェーダによるレベル（フェーダ量）だけでなく、先に「STEREO」設定時に共有される旨を説明したパラメータ（ゲート設定、インサーションエフェクト設定、イコライザ設定、…）が全て連動するようになっている。
【００７２】
3．実施形態の効果
以上説明したように、本実施形態によれば以下の効果が得られる。
まず、本実施形態においては、各種操作子の操作に応じて表示器２０２の表示を切り換えるか否かを連動フラグに応じて設定することができる（図９）。これにより、連動フラグを“１”にセットしておけば、オペレータは表示を切り換えるために特に操作を行う必要がなくなるから、ミキシングコンソールの効率的な操作が可能になる。
【００７３】
一方、オペレータが画面の切換を望まないような場合も存在する。一例として、イコライザ部３５０を操作してある入力チャンネルの周波数特性を調節する状態を想定してみる。イコライザ部３５０を操作する目的は、その入力チャンネルに係る音質を最適な状態に設定することである。従って、出力される音を耳で聞きながら最適な状態に調節できるスキルをオペレータが備えていれば、イコライザ調節画面９００を表示器２０２に表示させる必要はなく、むしろ他の有用な情報を表示させたままにしておく方が好適である。
【００７４】
このように、操作子が操作された時に関連する画面を表示器２０２に表示させるか否かは、その操作子の種別、オペレータのスキル、コンサートホールの状況等に応じて種々変動するものである。本実施形態のプリフェランス画面６００においては、画面を操作子に連動させるか否かを表示グループ毎に任意に設定できるから、状況に応じた最適な表示状態をオペレータに提供することが可能である。
【００７５】
また、本実施形態においては、図１０(a)，(b)において説明したように、ペアリングモードとして水平モードおよび垂直モードをレイヤ毎に設定することができる。ペアリングモードを「垂直モード」に設定すると、チャンネル・ストリップ・セクション６内の限られたフェーダ数を有効に利用することができる。
【００７６】
しかし、ＭＳモードが「STEREO」に設定されているペアの音声信号であっても左右の音量バランスが崩れている場合もあり得るし、オペレータが意図的に左右の音量バランスが崩すこともあり得る。かかる場合の対処を考慮すると、ペアリングモードとして水平モードを採用した方が有利である。これは、ステレオバランスの崩れをオペレータが感知した時、あるいは意図的に崩そうとした時、ＭＳモードを「MONORAL」に切り換え、２個のフェーダを用いて２つのチャンネルの音量を個別にかつ同時に調節できるからである。
【００７７】
結局、ペアリングモードを如何に設定するかは、必要な全入力チャンネル数とフェーダの数量との差、ステレオ入力用ソースの左右の音量バランスが安定しているか否か等に応じて異なるであろう。本実施形態においては、このような総合的見地に基づいてペアリングモードを選択できるから、結果的に最も操作性の高いペアリングモードを選択することが可能になる。
【００７８】
4．変形例
本発明は上述した実施形態に限定されるものではなく、例えば以下のように種々の変形が可能である。
(1)上記各実施形態においては、ミキシングコンソール上で動作するプログラムによって様々な機能を実現したが、このプログラムのみをＣＤ−ＲＯＭ、フロッピーディスク等の記録媒体に格納して頒布し、あるいは伝送路を通じて頒布することもできる。
【００７９】
(2)また、上記実施形態は本発明をミキシングコンソールに適用した例を説明したが、本発明はミキシングコンソールに限定されるわけではなく、様々な電子楽器、デスクトップミュージック用プログラム等に応用してもよい。
【００８０】
(3)また、上記実施形態においては２チャンネルを一組としてペアリングを行ったが、３以上のチャンネル（例えば４チャンネル）を一組としてペアリングを行ってもよい。
【００８１】
【発明の効果】
以上説明したように本発明によれば、連動情報が所定値であれば表示画面を操作子に関連する画面に切り換え、連動情報が該所定値以外の値であれば表示画面を操作子が操作される前の画面に保持するから、オペレータの使用態様に応じて、ディスプレイの表示内容を自動的に設定することができる。
【図面の簡単な説明】
【図１】  本発明の一実施形態のミキシングコンソールのブロック図である。
【図２】  信号処理部２１０等において実現されるアルゴリズムのブロック図である。
【図３】  一実施形態のミキシングコンソールの操作パネルの平面図である。
【図４】  ディスプレイ・アクセス部４００の平面図である。
【図５】  エフェクト・プラグイン部４５０の平面図である。
【図６】  ダイナミックス部３００の平面図である。
【図７】  イコライザ部３５０の平面図である。
【図８】  レイヤ部５００の平面図である。
【図９】  表示器２０２に表示されるプリフェランス画面６００を示す図である。
【図１０】  表示器２０２に表示されるペア設定画面６５０を示す図である。
【図１１】  レベル表示器・セクション１２の要部の平面図である。
【図１２】  表示器２０２に表示されるゲート調節画面８００を示す図である。
【図１３】  表示器２０２に表示されるコンプレッサ調節画面８５０を示す図である。
【図１４】  表示器２０２に表示されるイコライザ調節画面９００を示す図である。
【図１５】  一実施形態における制御プログラムのフローチャートである。
【符号の説明】
１…フェーダモード・セクション、２…ディスプレイ制御セクション、３…選択チャンネル・セクション、４…モニタ・セクション、５…ユーザ定義キー・シーンメモリ・オートミックス・セクション、６…チャンネル・ストリップ・セクション、７…マスタ・セクション、８…マシン制御・セクション、９…データ入力・セクション、１０…スマートメディア・セクション、１１…アナログセクション、１２…レベル表示器・セクション、１３…タイムコード表示器・セクション、１０２…アナログ入力部、１０４…ステレオアナログ入力部、１０６…デジタル入力部、１０８…内蔵エフェクタ出力部、１１２…入力パッチ部、１１４…入力チャンネル部、１１８…ＭＩＸバス、１２０…ステレオバス、１２２…ＳＯＬＯバス、１２４…ＡＵＸバス、１２８…ステレオ出力チャンネル部、１３０…ＭＩＸ出力チャンネル・ＡＵＸ出力チャンネル部、１３２…マトリクス出力チャンネル部、１３４…出力パッチ部、１４２…アナログ出力部、１４３…ステレオアナログ出力部、１４４…デジタル出力部、１４６…内蔵エフェクタ入力部、１５０…モニタ用セレクタ、１５２…モニタ用ミキサ、１５４…モニタ用音声出力部、２０２…表示器、２０４…電動フェーダ、２０６…操作子、２０８…波形Ｉ／Ｏ部、２１０…信号処理部、２１２…その他Ｉ／Ｏ部、２１４…ＣＰＵ、２１６…フラッシュメモリ、２１８…ＲＡＭ、２２０…バス、３００…ダイナミックス部、３０２，３５２，４５２…ディスプレイ・キー、３０４…COMP_ONキー、３０６…GATE_ONキー、３０８…COMP/GATE切換キー、３１０…COMPランプ、３１２…GATEランプ、３１４〜３２２…ボリューム操作子、３５０…イコライザ部、３５４…ストアキー、３５６…リコールキー、３５７…イコライザオンキー、３５８…ボリューム操作子、３６０，３６８…ボリューム操作子、３６２…周波数ランプ、３６４…Ｑ値ランプ、３６６…低音域表示器、３６８…低音域ゲイン用ボリューム操作子、４００…ディスプレイ・アクセス部、４０１…DATAキー、４０２…DIOキー、４０３…SETUPキー、４０９…PAIRキー、４５０…エフェクト・プラグイン部、５００…レイヤ部、５０２〜５１０…レイヤ指定キー、５１２〜５１８…遠隔操作指定キー、６００…プリフェランス画面、６０２〜６１６…チェックボックス、６５０…ペア設定画面、６５２…水平モードスイッチ、６５４…垂直モードスイッチ、６６０，６７０…左チャンネル表示部、６６１，６７１…右チャンネル表示部、６６２，６７２…ＭＳモード表示部、６６４，６７４…ＭＳモード切換スイッチ、８００…ゲート調節画面、８２０…パラメータ表示・設定部、８２１…タイプ表示部、８２２…特性カーブ表示部、８２４…ステレオリンクスイッチ、８５０…コンプレッサ調節画面、８５２…パラメータ表示・設定部、８５４…タイプ表示部、８５６…特性カーブ表示部、９００…イコライザ調節画面、９１０…低音域表示・設定部、９１２…中低音域表示・設定部、９１４…中高音域表示・設定部、９１６…高音域表示・設定部、９１８…特性カーブ表示部。
【図１】
0003661622.tif 000002
【図２】
0003661622.tif 000003
【図３】
0003661622.tif 000004
【図４】
0003661622.tif 000005
【図５】
0003661622.tif 000006
【図６】
0003661622.tif 000007
【図７】
0003661622.tif 000008
【図８】
0003661622.tif 000009
【図９】
0003661622.tif 000010
【図１０】
0003661622.tif 000011
【図１１】
0003661622.tif 000012
【図１２】
0003661622.tif 000013
【図１３】
0003661622.tif 000014
【図１４】
0003661622.tif 000015
【図１５】
0003661622.tif 000016